(57)【要約】    【課題】  加熱容器を車台から取り外し可能にした清拭車を提供する。    【解決手段】  本発明は、清拭タオル３１を温めて保温するとともに、前記清拭タオル３１を運搬するための清拭車１であって、キャスタ５付きの車台２と、前記車台２に着脱可能に装着され、前記清拭タオル３１を収納するとともに底部１５ａに貯留された水から発生する蒸気で前記清拭タオル３１を温めるように加熱される加熱容器７と、前記加熱容器７が前記車台２に装着されたときに前記加熱容器７の底部１５ａ外面側から前記加熱容器７を加熱するヒータ１２とを備えている。【選択図】  図１
2004313763.tif 000002
【特許請求の範囲】
【請求項１】
清拭タオルを収納するとともに底部に貯留された水から発生する蒸気で前記清拭タオルを温めるように加熱される加熱容器と、前記加熱容器の底部外面側から前記加熱容器を加熱する加温手段とを備え、前記加熱容器は前記加温手段に対して着脱可能になっており、前記加熱容器の底部には容器内側に向かって凹んだ凹部が形成され、前記加熱容器が前記加温手段上に装着されたときに前記底部の外側面である前記凹部内面に接触する温度検出手段が設けられ、前記温度検出手段で検出された前記加熱容器の温度に基づいて前記加温手段の通電を制御することを特徴とする温度検出制御装置。
【請求項２】
清拭タオルを温めて保温するとともに前記清拭タオルを運搬するための清拭車であって、キャスタ付きの車台と、前記車台に着脱可能に装着され、前記清拭タオルを収納するとともに底部に貯留された水から発生する蒸気で前記清拭タオルを温めるように加熱される加熱容器と、前記加熱容器が前記車台に装着されたときに前記加熱容器の底部外面側から前記加熱容器を加熱する加温手段とを備えたことを特徴とする清拭車。
【請求項３】
前記加熱容器の底部には容器内側に向かって凹んだ凹部が形成され、前記加熱容器が前記車台に装着されたときに前記底部の外側面である前記凹部内面に接触する温度検出手段が設けられ、前記温度検出手段で検出された前記加熱容器の温度に基づいて前記加温手段の通電を制御することを特徴とする請求項２に記載の清拭車。
【請求項４】
前記加熱容器の装着の有無を検出する容器検出スイッチを設けたことを特徴とする請求項２または３に記載の清拭車。
【請求項５】
清拭タオルを温めて保温するとともに前記清拭タオルを運搬するための清拭車であって、キャスタ付きの車台と、前記車台に固定された本体に着脱可能に装着され、前記清拭タオルを支持台上に載置した状態で収納するとともに内部に注入されるお湯で前記清拭タオルを温める加熱容器とを備え、前記加熱容器を密封する蓋に清拭タオル取り出し口を設けたことを特徴とする清拭車。
【請求項６】
前記加熱容器の下部に取っ手を設けたことを特徴とする請求項２ないし５のいずれかに記載の清拭車。
【請求項７】
前記取っ手は、前記加熱容器の底部に少なくとも１つ設けられていることを特徴とする請求項６に記載の清拭車。
【請求項８】
前記取っ手は、前記加熱容器の側面に設けられていることを特徴とする請求項６に記載の清拭車。
【請求項９】
前記取っ手は、前記加熱容器が前記車台または前記本体に装着されたときに自動的に収納され、前記加熱容器が前記車台または前記本体から取り外されたときに自動的に飛び出ることを特徴とする請求項６に記載の清拭車。
【発明の詳細な説明】
【技術分野】
【０００１】
本発明は、病院等で患者を清拭するための清拭タオルを温めるとともに運搬する移動式の清拭車に関する。
【背景技術】
【０００２】
本発明に関連する先行技術文献として、下記の特許文献１がある。
【特許文献１】特開昭６３−２７７０５５号公報
【０００３】
従来、例えば特許文献１に開示されるように、病院等で患者の体を清拭するための清拭タオルを温めて保温しつつ運搬することができる清拭車においては、清拭タオルを収納した加熱容器がキャスター付き車台に固定されている。そのため、加熱容器内の水を交換するときには、加熱容器を車台ごと持ち上げる必要があり、非常に重くて煩わしい作業であった。
【０００４】
また、清拭車が通れない場所があると患者の近くまで清拭車を移動させることができないことがあり、その場合には看護師等の作業者はとりあえず数枚程度の清拭タオルを清拭車の加熱容器から取り出してから患者の所まで行って清拭した後、使用済みの清拭タオルを捨てたり、さらに必要な清拭タオルを取りに行くために清拭車の場所まで戻らなければならず、手間と時間がかかっていた。
【発明の開示】
【発明が解決しようとする課題】
【０００５】
そこで、本発明は、上述したような問題点に鑑みてなされたもので、加熱容器を車台から取り外し可能にした清拭車を提供することを課題とする。
【０００６】
また、清拭車では、加熱容器内を所望の温度に設定するために、加熱容器内の温度または加熱容器の温度を検出するための温度センサを設け、その温度センサで検出された温度に基づいて加熱容器を加熱する加温手段を制御する必要がある。しかしながら、加熱容器を取り外し可能にすると、容器内部の温度を正確に計測できない問題が生じるうえに、加熱容器内部に温度センサを設けると温度センサとの接続のためにコネクターを使用しなければならない等の不具合が生じる。
そこで、本発明は、加熱容器を車台から取り外し可能にした清拭車において、温度検出手段を加熱容器とは別個に設けて加熱容器が車台に装着されたときに加熱容器内部の温度を検出できるようにした清拭車を提供することをもう１つの課題とする。
【課題を解決するための手段】
【０００７】
前記課題を解決するために本発明の温度検出制御装置は、清拭タオルを収納するとともに底部に貯留された水から発生する蒸気で前記清拭タオルを温めるように加熱される加熱容器と、前記加熱容器の底部外面側から前記加熱容器を加熱する加温手段とを備え、前記加熱容器は前記加温手段に対して着脱可能になっており、前記加熱容器の底部には容器内側に向かって凹んだ凹部が形成され、前記加熱容器が前記加温手段上に装着されたときに前記底部の外側面である前記凹部内面に接触する温度検出手段が設けられ、前記温度検出手段で検出された前記加熱容器の温度に基づいて前記加温手段の通電を制御することを特徴とするものである。
【０００８】
この構成によれば、加熱容器が加温手段上に装着されたときに加熱容器の底部の外側面である前記凹部内面に接触する温度検出手段を設けたので、加熱容器の外側から加熱容器内部の温度を正確に検出することができる。また、加熱容器内部に温度検出手段を設ける必要がなく、コネクターによる電気的接続をとる必要がない。さらに、加熱容器自体は電気的構成を有しないことから、内部の水が漏れても漏電などの事故が発生することがない。
【０００９】
また、本発明の清拭車は、清拭タオルを温めて保温するとともに前記清拭タオルを運搬するための清拭車であって、キャスタ付きの車台と、前記車台に着脱可能に装着され、前記清拭タオルを収納するとともに底部に貯留された水から発生する蒸気で前記清拭タオルを温めるように加熱される加熱容器と、前記加熱容器が前記車台に装着されたときに前記加熱容器の底部外面側から前記加熱容器を加熱する加温手段とを備えたことを特徴とするものである。
【００１０】
この構成によれば、加熱容器を車台から取り外し可能にしたので、清拭車が通れない場所があって患者の近くまで清拭車を移動させることができない場合があっても、加熱容器を車台から取り外して患者の側まで持って行くことができ、清拭作業を効率よく行なうことができる。また、加熱容器内の水を交換する際、車台から取り外した加熱容器をシンクに直接持ち上げることができ、バケツの水を捨てる感覚で排水し、内部の洗浄と水の補給を行うことができる。
【００１１】
また、本発明の清拭車では、前記加熱容器の底部には容器内側に向かって凹んだ凹部が形成され、前記加熱容器が前記車台に装着されたときに前記底部の外側面である前記凹部内面に接触する温度検出手段が設けられ、前記温度検出手段で検出された前記加熱容器の温度に基づいて前記加温手段の通電を制御するようにしてもよい。
【００１２】
この構成によれば、加熱容器が車台に装着されたときに加熱容器の底部の外側面である前記凹部内面に接触する温度検出手段を設けたので、加熱容器の外側から加熱容器内部の温度を正確に検出することができる。また、加熱容器内部に温度検出手段を設ける必要がなく、コネクターによる電気的接続をとる必要がない。さらに、加熱容器自体は電気的構成を有しないことから、内部の水が漏れても漏電などの事故が発生することがない。
【００１３】
また、本発明の清拭車では、前記加熱容器の装着の有無を検出する容器検出スイッチを設けてもよい。
【００１４】
この構成によれば、車台への加熱容器の着脱を検出することができ、この検出結果に基づいて加温手段の通電を自動的に制御することができる。
【００１５】
本発明の別の清拭車は、清拭タオルを温めて保温するとともに前記清拭タオルを運搬するための清拭車であって、キャスタ付きの車台と、前記車台に固定された本体に着脱可能に装着され、前記清拭タオルを支持台上に載置した状態で収納するとともに内部に注入されるお湯で前記清拭タオルを温める加熱容器とを備え、前記加熱容器を密封する蓋に清拭タオル取り出し口を設けたことを特徴とするものである。
【００１６】
この構成によれば、前記加熱容器は前記車台の本体から取り外されているときに転倒した場合、前記取り出し口に引き出されている清拭タオルの端部をつたって内部のお湯がわずかにこぼれることがあっても、蓋によって密封されている加熱容器からは多量のお湯が漏れないようになっているので、作業者や患者が加熱容器からこぼれた多量のお湯で火傷を負うような事故の発生を防止できる。
【００１７】
また、本発明の清拭車では、前記加熱容器の下部に取っ手を設けてもよい。
この場合、前記取っ手は、前記加熱容器の底部に少なくとも１つ設けられていてもよいし、前記加熱容器の側面に設けられていてもよい。また、前記取っ手は、前記加熱容器が前記車台または前記本体に装着されたときに自動的に収納され、前記加熱容器が前記車台または前記本体から取り外されたときに自動的に飛び出るようにしてもよい。
【００１８】
この構成によれば、作業者が加熱容器内の水またはお湯を捨てるために加熱容器をひっくり返すようにその底部を手で持って持ち上げようとするときに、取っ手を持って持ち上げることができる。これにより、高温になっている加熱容器の底部に直接触れなくてもよく、手を火傷するのを防止できる。
【発明の効果】
【００１９】
このように、本発明の温度検出制御装置および清拭車によれば、加熱容器が加温手段上または車台に装着されたときに加熱容器の底部の外側面である前記凹部内面に接触する温度検出手段を設けたので、加熱容器の外側から加熱容器内部の温度を正確に検出することができる。また、加熱容器内部に温度検出手段を設ける必要がなく、コネクターによる電気的接続をとる必要がない。さらに、加熱容器自体は電気的構成を有しないことから、内部の水が漏れても漏電などの事故が発生することがない。
【００２０】
また、本発明の清拭車によれば、加熱容器を車台から取り外し可能にしたので、清拭車が通れない場所があって患者の近くまで清拭車を移動させることができない場合があっても、加熱容器を車台から取り外して患者の側まで持って行くことができ、清拭作業を効率よく行なうことができる。また、加熱容器内の水を交換する際、車台から取り外した加熱容器をシンクに直接持ち上げることができ、バケツの水を捨てる感覚で排水し、内部の洗浄と水の補給を行うことができる。
【００２１】
また、本発明の清拭車によれば、車台への加熱容器の着脱を検出することができ、この検出結果に基づいて加温手段の通電を自動的に制御できる。
【００２２】
また、本発明の別の清拭車によれば、加熱容器が車台の本体から取り外されているときに転倒した場合、取り出し口に引き出されている清拭タオルの端部をつたって内部のお湯がわずかにこぼれることがあっても、蓋によって密封されている加熱容器からは多量のお湯が漏れないようになっているので、作業者や患者が加熱容器からこぼれた多量のお湯で火傷を負うような事故の発生を防止できる。
【００２３】
さらに、本発明の清拭車によれば、加熱容器の下部に取っ手を設けることで、作業者が加熱容器内の水またはお湯を捨てるために加熱容器をひっくり返すようにその底部を手で持って持ち上げようとするときに、取っ手を持って持ち上げることができる。これにより、高温になっている加熱容器の底部に直接触れなくてもよく、手を火傷するのを防止できる。
【発明を実施するための最良の形態】
【００２４】
以下、本発明の実施の形態について添付図面を参照して説明する。
図１は、本発明の一実施形態である清拭車１を示す。この清拭車１は、車台２を備えている。車台２は、フレーム３と、このフレーム３に固定された本体４とから構成されている。フレーム３の下部には収納かご３ａが取り付けられている。
【００２５】
フレーム３は、例えば金属製パイプで構成されており、その下部には例えば４つのキャスタ５が付いている。また、フレーム３の上部には、略コ字状のハンドル部６が設けられている。これにより、ハンドル６を持って押すことによりキャスタ５が転がることで、清拭車１を移動させることができるようになっている。後部（図１中の右側）のキャスタ５には、清拭車１が移動しないようにするために使用する車止め５ａが設けられている。
【００２６】
本体４の中央には、加熱容器７を着脱可能に装着するための円柱状空間を含む凹状の容器装着部８が形成されている。この容器装着部８の底部中央には、図２に示すように、上部に例えばサーミスタなどの温度検出センサ（温度検出手段）１０が取り付けられた円筒状の取付部材９が上下移動可能に突設されている。取付部材９の周囲には、スプリング１１が外装されており、これにより取付部材９は上方へ付勢された状態になっている。
【００２７】
また、本体４の容器装着部８の底部であって前記取付部材９の周囲には、中心孔を有する円板状のヒータ（加温手段）１２と、そのヒータ１２の上部を覆って取り付けられている伝導板１３とが配設されている。伝導板１３は、図３Ａに示すように、周方向に均等に配置された例えば４つのスプリング１３ａを介して上方に付勢された状態で、スプリング１３ａ内を貫通するボルト１３ｂにより上下移動可能に本体４に取り付けられている。これにより、伝導板１３は、スプリング１３ａの付勢力に抗して下方移動することで、水平状態からある程度傾斜できるようになっている。さらに、前記容器装着部８の底部であって前記伝導板１２の外側には容器検出スイッチ１４が配設されている。この容器検出スイッチ１４は、上方に付勢された検出ピン１４ａを有しており、この検出ピン１４ａが前記容器装着部８の底部から突出している。
【００２８】
このように加熱容器７は車台２の本体４に設けられた容器装着部８内に着脱可能に装着できることから、加熱容器７は車台２に対して着脱可能になっているとともに、本体４に設けられたヒータ１２に対しても着脱可能になっていることになる。
【００２９】
加熱容器７は、例えばステンレス製の有底円筒体からなる内部容器１５と、この内部容器１５の外周側面を被覆する例えばガラス繊維からなる断熱材１６と、この断熱材１６の外周側面を覆って設けられた化粧カバー１７とを備えている。これら内部容器１５、断熱材１６および化粧カバー１７は、それらの下部に配設されたリング状接地部材１８によって一体に固定されている。
【００３０】
前記内部容器１５の底部１５ａの中央には、容器内側に向かって凹んで円柱状空間を含む凹部１５ｂが形成されている。この凹部１５ｂの位置は前記取付部材９に対応しており、これにより加熱容器７を本体４の容器装着部８内に装着すると、図３に示すように、温度検出センサ１０が内部容器１５の底部１５ａの外側面である前記凹部１５ｂの内面（すなわち上面）に接触するとともに、取付部材９がスプリング１１の付勢力に抗して下方へ移動するようになっている。このように、温度検出センサ１０が内部容器１５の底部１５ａにある凹部１５ｂの内面に接触することより、加熱容器７の内部温度を検出できるようになっている。なお、前記凹部１５ｂの深さが深いほど、内部温度の検出精度は向上する。
【００３１】
加熱容器７が本体４の容器装着部８内に装着されたとき、加熱容器７の内部容器１５の底部１５ａが伝導板１３上に接触する。これにより、加熱容器７は、内部容器１５の底部１５ａの外面側から、ヒータ１２で加熱された伝導板１３から伝熱されることによって加熱されるようになっている。このとき、伝導板１３は、スプリング１３ａによって支持されていることで傾斜可能になっているため、加熱容器７の内部容器７の底部１５ａが水平状態から少し傾いた状態になっているときでも、その底部１５ａにならって伝導板１３も傾斜することで、伝導板１３が内部容器１５の底部１５ａに対して隙間なく密接することができ、その結果、内部容器１５が伝導板１３から効率よく伝熱されることができる。また、加熱容器７が本体４の容器装着部８内に装着されると、加熱容器７の下部に配設されたリング状接地部材１８によって容器検出スイッチ１４の検出ピン１４ａが押し込まれることで、加熱容器７が本体４に装着されたことが検出されることになる。
【００３２】
本体４の前部（図１中の左側）には、操作制御パネル２０が配設されている。操作制御パネル２０は、図４に示すように、電源ランプ２０ａ、異常ランプ２０ｂ、予約ランプ２０ｃ、運転ランプ２０ｄ、表示部２０ｅ、温度設定ボタン２０ｆ、温度設定ランプ２０ｇ、運転予約ボタン２０ｈ、運転予約ランプ２０ｉ、および、運転停止ボタン２０ｊを備えている。この操作制御パネル２０は、本体４に内蔵された電源２１に接続されるとともに、温度検出センサ１０、ヒータ１２および容器検出スイッチ１４にそれぞれ電気的に接続されている。
【００３３】
加熱容器７の内部容器１５内には、支持台２８が配設されている。この支持台２８上にロール状に巻回された清拭タオル３１を載置することで、清拭タオル３１が加熱容器７内に収納される。支持台２８は、図５に示すように、円盤状の支持板３０ａと、この支持板３０ａの外縁から下方に延びる脚部３０ｂとからなる。支持板３０ａは、中心穴３０ｃと、この中心穴３０ｃの周囲に穿設される複数の小孔３０ｄとを有する。中心穴３０ｃの内径は、支持板３０ａ上に載置されるロール状に巻回した清拭タオル３１の中空部と略同一径に形成されている。
【００３４】
清拭タオル３１には、湿潤したときでも引っ張り強度に優れた例えば不織布を長尺なシート状にしたものが使用される。また、清拭タオル３１には、所定寸法毎に容易に切断できるようにミシン目が形成されている。なお、清拭タオル３１は使い捨てが可能であって、その材料としてはパルプ、綿、合成繊維等が挙げられ、不織布、天然パルプや合成パルプ等からなる紙、又は、ガーゼ等の布等の湿潤強度を有するシート状のものが好ましい。
【００３５】
加熱容器７の上部には、蓋３２が装着されている。この蓋３２は、内部容器１５、断熱材１６および化粧カバー１７からなる下部容器１９に対してヒンジ連結されており、開閉レバー３３を操作することによりヒンジ連結部を中心に開閉可能になっている。また、前記蓋３２は、図示しないロック機構を備えており、開閉レバー３３を操作しない限り、前記ロック機構により閉じた状態に保持されている。
【００３６】
前記蓋３２に中心部には、取り出し口３４が設けられている。この取り出し口３４は、図６，７に示すように、積層状態で支持された抵抗シート４７および水切りシート４８とで構成されている。抵抗シート４７および水切りシート４８は共に弾性材料を円形にしたものである。
【００３７】
抵抗シート４７には、中心から放射状に延びる切り込み４９により複数の弾性舌片５０が形成されている。このため、清拭タオル３１の端部をいずれの方向からでも容易に引っ張り出せるようになっている。また、弾性舌片５０の弾性力により、清拭タオル３１に吸収されている水を適量に絞り取ることが可能となっている。
【００３８】
前記切り込み４９は、図６（ａ）に示すように、中心線上に位置する切り込み４９ａを他のものに比べて中心に向かうに従って徐々に幅広に形成してもよい。また、この切り込み４９ａは、図６（ｂ）に示すように、両端部でも幅広となるように形成してもよい。さらに、他の切り込み４９ｂを、図６（ｃ）に示すように、前記切り込み４９ａの縁から所定間隔で形成するようにしてもよい。
【００３９】
一方、水切りシート４８には、中心に開口部５１が形成されている。この開口部５１の内径は、前記抵抗シート４７の弾性舌片５０が所定範囲だけ露出するように形成されている。すなわち、前記弾性舌片５０による清拭タオル３１の保持力は、清拭タオル３１のミシン目が通過した時点で、清拭タオル３１を引っ張ることによりミシン目で切断されて所定寸法の１片の清拭タオル３１が切り離されるように設定されている。
【００４０】
図１を再び参照すると、前記蓋３２には、前記取り出し口３４を覆ってキャップ３５が開閉可能に配設されており、これにより衛生状態を保持するようになっている。
【００４１】
前記蓋３２の下部には、蓋３２が閉じられたときに下部容器１９を密封状態に保つために、図示しないパッキンが配設されている。これにより、車台２の本体４から取り外された加熱容器７が転倒した場合、蓋３２に設けられた取り出し口３４に引き出されている清拭タオル３１の端部をつたって内部のお湯がわずかにこぼれることがあっても、蓋３２によって密封されている加熱容器７からは多量のお湯が漏れないようになっているので、作業者や患者が加熱容器７からこぼれた多量のお湯で火傷を負うような事故の発生を防止できる。
【００４２】
加熱容器７の側部には、略Ｕ字状または略コ字状の取っ手３６の両端が回動可能に取り付けられている。この取っ手３６を持って加熱容器７を持ち上げることよって、加熱容器７を本体４から取り外すことができるようになっている。また、加熱容器７が本体４に装着されているときには、取っ手３６は倒された状態で加熱容器支持部３７で保持されており、これにより加熱容器７が転倒するのを防止している。
【００４３】
車台２を構成するフレーム３の後部には、汚物袋６２を収納するための汚物パック容器６０が取り付けられている。この汚物パック容器６０は、図８にも示すように、リンク機構によって開閉可能に支持された汚物袋蓋６４を有している。汚物袋６２の開口部について、その一方の縁部はフレーム３側に設けられたフック部６５に引っ掛けられ、他方の縁部は汚物袋蓋６４に設けられたフック部６６に引っ掛けられている。これにより、汚物袋蓋６４が閉じられると汚物袋６２の開口部も閉塞され、その結果、汚物袋６４の内容物（使用済み清拭タオルなど）からの悪臭が放たれるのを防止できる。
【００４４】
次に、上記構成からなる清拭車１の使用および動作について説明する。
加熱容器７を車台２から取り外した状態で、加熱容器７の蓋３２を開いて例えば５リットル程度の水を内部容器１５内に注入するとともに、内部容器１５内の支持台２８上にロール状に巻回した清拭タオル３１を載置して収納する。その後、ロールの中心部から連続シート状の清拭タオル３１の端部を引き出して蓋３２に設けた取り出し口３４から導入して状態で、蓋３２を閉じる。
【００４５】
そして、清拭タオル３１および水が収納された加熱容器７を本体４の容器装着部８内に装着する。これにより、容器検出スイッチ１４が加熱容器７の装着を検出し、電源２１からの電力供給が開始されて操作制御パネル２０の電源ランプ２０ａが点灯する。なお、加熱容器７内への水の注入および清拭タオル３１の収納は、加熱容器７が車台２の本体４に装着された状態で行なわれてもよい。
【００４６】
加熱容器７が本体４に装着されることにより温度検出センサ１０が加熱容器７の底部１５ａである凹部１５ｂの内面に接触する。これにより、現時点での加熱容器７の内部温度が検出されて、操作制御パネル２０の表示部２０ｅに表示される。
【００４７】
操作制御パネル２０上において、看護師等の作業者が温度設定ボタン２０ｆを押すことにより、温度設定ランプ２０ｇが点灯し、表示部２０ｅに表示される温度を６０度、７０度または８０度に設定することができる。また、作業者が運転予約ボタン２０ｈを押すことにより、運転予約ランプ２０ｉが点灯し、２時間から２４時間までの間で加熱容器７の加熱スタート予約をすることができ、このとき表示部２０ｅには加熱を開始するまでの時間がカウントダウン表示される。
【００４８】
なお、操作制御パネル２０で温度設定が一旦なされると、その設定条件は電源オフ時にも記憶されているので、電源再投入時に設定し直す必要はない。
【００４９】
ヒータ１２への通電が開始されると、加熱容器７の内部容器１５はその底部１５ａの外側面からヒータ１２によって伝導板１３を介して加熱される。この加熱により前記内部容器１５の底部に貯留した水から蒸気が発生し、この蒸気によって清拭タオル３１が温められる。
【００５０】
加熱容器７の内部温度が所定の設定温度に達したことを温度検出センサ１０で検出すると、その後は加熱容器７の内部温度を保持するようにヒータ１２への通電が制御される。設定温度が６０℃の場合には、加熱容器７の内部温度は例えば約５分で６０℃に達して保温状態に移行する。
【００５１】
例えば加熱容器７内に水を入れ忘れたために、温度検出センサ１０によって設定温度を大きく越える温度が検出されたときには、異常ランプ２０ｂが点灯するとともに、ヒータ１２への通電が停止される。このとき音声でも異常を知らせるようにしてもよい。また、温度検出センサ１０が断線などにより故障した場合も同様に異常ランプ２０ｂが点灯する。
【００５２】
所定の設定温度に保温された加熱容器７が車台２の本体４から取り外されると、その取り外しが容器検出スイッチ１４で検出され、ヒータ１２への通電が停止されるとともに、電源２１からの電力供給も停止されて電源ランプ２０ａが消灯する。
【００５３】
なお、前記実施形態の清拭車１では、ヒータ１２を設けて加熱容器７を加熱するようにしたが、必ずしもヒータ１２は設けなくてもよい。ヒータが設けられていない清拭車の場合には、加熱容器７内において支持台２８上に載置されたロール状の清拭タオル３１にお湯をかけながら注入して、清拭タオル３１を適温に温める。ロール状の清拭タオル３１に含まれないこととなる余分なお湯は、支持台２８より下にこぼれて加熱容器７の底部１５ａに溜まることになり、これにより清拭タオル３１は適度な湿潤状態に保たれる。この場合においても、車台２の本体４から取り外された加熱容器７が転倒しても、内部のお湯はほとんど漏れ出ることがない。
【００５４】
ところで、加熱容器７内の水またはお湯を捨てようとする場合には、作業者は、清拭車１から取り外した加熱容器７の蓋３７を図示しないロック機構を用いて開いた状態に保持し、片方の手で加熱容器７の上部の取っ手３６を持ち、もう一方の手で加熱容器７の底部を持ち上げて加熱容器７をひっくり返すようにしなければならない。このとき、作業者が高温になっている加熱容器７の底部（特に、内部容器１５の底部１５ａ）に手で直接触れると火傷するおそれがある。
【００５５】
そこで、加熱容器７の下部に取っ手を設けるのが好ましい。この取っ手は、加熱容器７の底部に設けてもよいし、または、加熱容器７の下部側面に設けてもよい。
【００５６】
加熱容器７の底部に取っ手を設ける場合、加熱容器７の底部外周に配設されるリング状接地部材１８として、例えば図９に示すものを用いる。このリング状接地部材１８には、略コ字状の棒部材からなる取っ手７０が取り付けられている。この取っ手７０は、例えば金属棒の外周を耐熱樹脂製チューブで覆って構成されており、手で持っても大丈夫なようにそれほど高温はならないようにしてある。取っ手７０は、リング状接地部材１８を貫通して取り付けられ、その両端部がリング状接地部材１８に固定された略コ字状の支持板７２によって支持されている。また、取っ手７０は、両端部にそれぞれ外装されたスプリング７４によって押圧板７６を介して下方に付勢されており、これにより取っ手７０は加熱容器７が清拭車１から取り外されたときにはスプリング７４の付勢力によって加熱容器７の底部から自動的に飛び出した状態になる。一方、加熱容器７が清拭車１の本体４の容器装着部８に装着されたときは、取っ手７０は図９（ｂ）に点線で示すように容器装着部８の底部によって押し込まれることで、リング状接地部材１８の外周縁部に形成した切り欠き部１８ａ内に自動的に収納されるようになっている。
【００５７】
なお、取っ手７０は、加熱容器７において蓋３２のヒンジ連結部に対して鉛直下方位置に１つ設けるのが使い勝手が良いが、蓋３２が加熱容器７から取り外せる構成にした場合にはリング状接地部材１８の直径方向に対向するように２つの取っ手７０を設けて、いずれかの取っ手７０を持って加熱容器７の底部をいずれの方向にも持ち上げられるようにしてもよい。あるいは、取っ手７０は、リング状接地部材１８の周方向に沿って３つ以上設けられてもよいし、前記周方向につながったリング状に形成されてもよい。
【００５８】
図１０に示すように、加熱容器７の下部側面に取っ手８０を設ける場合には、略コ字状の金属棒材からなる取っ手８０の両端部を加熱容器７の下部側面に回動自在に取り付ける。この場合、取っ手８０は、回動自在に支持されている端部の近傍で少し曲げてあることで、図１０に点線で示す収納状態では、その重心が回動支持部よりも少し外側に位置するように形成されている。これにより、加熱容器７が清拭車１の本体４からから取り外されると、本体４の容器装着部８の内周面による拘束から解放された取っ手８０は加熱容器７から倒れるようにして自動的に飛び出すようになっている。一方、加熱容器７が清拭車１の本体４の容器装着部８に装着されると、取っ手８０は容器装着部８の内周面によって押し込まれるようにして自動的に収納されるようになっている。
【００５９】
なお、取っ手８０は、前記取っ手７０と同様に、スプリングの付勢力によって飛び出すように構成されてもよいし、加熱容器７の下部側面に複数設けられてもよい。
【００６０】
このように、加熱容器７の下部に取っ手７０または８０を設けることで、作業者が加熱容器７内の水またはお湯を捨てるために加熱容器７をひっくり返すようにその底部を手で持って持ち上げようとするときに、取っ手７０または８０を持って持ち上げることができる。これにより、高温になっている加熱容器７の底部（特に、内部容器１５の底部１５ａ）に直接触れなくてもよく、手を火傷するのを防止できる。
【図面の簡単な説明】
【００６１】
【図１】清拭車の一部断面を含む側面図。
【図２】加熱容器が完全に装着されていない状態でのヒータ、伝導板および容器検出スイッチの拡大図。
【図３】加熱容器が完全に装着された状態でのヒータ、伝導板および容器検出スイッチの拡大図。
【図３Ａ】伝導板の支持部の拡大図。
【図４】操作制御パネルの平面図。
【図５】支持台の斜視図。
【図６】取り出し口の切り込みを示す図。
【図７】取り出し口を構成する抵抗シートおよび水切りシートの断面図。
【図８】汚物パック容器の汚物袋蓋の拡大図。
【図９】取っ手を設けたリング状接地部材の斜視図および側面図。
【図１０】加熱容器の下部側面に設けた取っ手を示す概略図。
【符号の説明】
【００６２】
１…清拭車
２…車台
３…フレーム
４…本体
５…キャスタ
６…ハンドル
７…加熱容器
１０…温度検出センサ（温度検出手段）
１２…ヒータ（加温手段）
１４…容器検出スイッチ
１５…内部容器
１６…断熱材
１７…化粧カバー
１９…下部容器
２０…操作制御パネル
３１…清拭タオル
３２…蓋
６０…汚物パック容器
７０，８０…取っ手
【図１】
2004313763.tif 000003
【図２】
2004313763.tif 000004
【図３】
2004313763.tif 000005
【図３Ａ】
2004313763.tif 000006
【図４】
2004313763.tif 000007
【図５】
2004313763.tif 000008
【図６】
2004313763.tif 000009
【図７】
2004313763.tif 000010
【図８】
2004313763.tif 000011
【図９】
2004313763.tif 000012
【図１０】
2004313763.tif 000013